(57)【要約】      （修正有）【課題】シフト座の側壁の斜面に合わせて角度を調節でき、構造全体が、完全に、錠前内に隠れられ、一体の外観を有し、より良い盗難防止の効果が得られる錠前構造を提供する。【解決手段】錠前座１と掛け金部品２、調整棒３、押し圧部品４及び係止ピン部品５から構成され、掛け金部品２は、錠前座１内に組み立てられ、係止ピン部品５は、錠前座１の側壁に組み立てられ、調整棒３は、掛け金部と押し圧部を連接し、調整棒３の角度を調整することにより、シフト座の側壁の斜面に合わせて、全体の構造が、完全に、錠前内に隠れられ、一体性の外観、そして、確実に、より良い盗難防止効果が得られる錠前構造である。【選択図】図１
0003143505.tif 000002
【実用新案登録請求の範囲】
【請求項１】
内部に、収納室が設けられ、一端に、貫通穴とストッパーがあり、収納室のもう一端に、雌ねじが形成され、側壁面に、ねじ穴が設けられ、外側に、ストップ板が設置され、ストップ板との間に、係止槽が設けられる錠前座と、
錠前座に組立てられ、錠前座の収納室に収納されるバネが設けられ、バネのもう一端が、係止フロックに抵当し、該係止フロックに、錠前座の貫通穴に対面するピンロッドが設けられ、係止フロックに、係止槽と抵当リングが設置され、係止フロックの外側面に、凹槽と、錠前座に螺着され、中心に、ねじ穴が形成されるカバーとが形成される掛け金部品と、
掛け金部品に螺着され、中空で、長さがやや長い押し棒が貫設され、両端に、ネジ部が形成される調整棒と、
調整棒のもう一端に組み立てられ、内壁に、雌ねじが設けられ、一端に、貫通穴が形成されるスリーブと、スリーブ内に設置されるバネと、外側面に凹槽があり、バネに貫設してスリーブ内に設置される押し圧ボタンと、押し圧ボタンを覆い、スリーブに螺着され、ねじ穴が設けられる内蓋と、が備えられる押し圧部品と、
錠前座の外壁面に設けられ、一端に、内側にストッパーが設けられ、外側に、ネジ部が設けられる貫通穴が形成され、内壁の一側に、雌ねじが設けられる連接部材と、一端が、連接部材に挿入され、連接部材の貫通穴から突出し、抵当リングのもう一側からバネが貫設される係止ピンと、連接部材に螺着され、内部に収納室が設けられ、一端に、ネジ部が設置され、もう一端に、電磁部品が設けられる係止ピン座とが備えられる係止ピン部品と、
が含有される、
ことを特徴とする錠前構造。
【請求項２】
調整棒は、延性の比較的に良い金属材からなり、押し棒が、可可撓性を有し、調整棒内を往復に移動できることを特徴とする請求項１に記載の錠前構造。
【考案の詳細な説明】
【技術分野】
【０００１】
本考案は、錠前構造に関し、特に、シフト座の側壁の斜面に合わせて角度を調整でき、構造全体が、完全に、錠前内に隠れられ、一体の外観を有し、より良い盗難防止の効果が得られる錠前構造に関する。
【背景技術】
【０００２】
一般の錠前構造は、カギを利用して、解錠や鎖錠を行い、該錠前構造は、カギ挿入孔が設けられ、錠前本体内に、複数のカギ挿入孔内に突出する係止ピンが設けられ、これらの係止ピンの突出長さが異なり、カギに、これらの係止ピンの位置にあわせて嵌合孔が形成され、一般の錠前構造は、カギを、錠前のカギ挿入孔に挿入することにより、係止ピンが押されて錠前が転動でき、また、他の伝達機構が連動されることにより、解錠や閉鎖の効果が得られるが、泥棒は、カギ挿入孔に解錠シートを挿入して、内部の係止ピンが押されることにより、錠前を解錠でき、そのため、一般の錠前構造の盗難防止效果が良くない。
【考案の開示】
【考案が解決しようとする課題】
【０００３】
本考案の目的は、シフト座の側壁の斜面に合わせて角度を調整でき、構造全体が、完全に、錠前内に隠れられ、一体の外観を有し、より良い盗難防止の効果が得られる錠前構造を提供する。
【課題を解決するための手段】
【０００４】
本考案は、内部に、収納室が設けられ、一端に、貫通穴とストッパーがあり、収納室のもう一端に、雌ねじが形成され、側壁面に、ねじ穴が設けられ、外側に、ストップ板が設置され、ストップ板との間に、係止槽が設けられる錠前座と、錠前座に組立てられ、錠前座の収納室に収納されるバネが設けられ、バネのもう一端が、係止フロックに抵当し、該係止フロックに、錠前座の貫通穴に対面するピンロッドが設けられ、係止フロックに、係止槽と抵当リングが設置され、係止フロックの外側面に、凹槽と、錠前座に螺着され、中心に、ねじ穴が形成されるカバーとが形成される掛け金部品と、掛け金部品に螺着され、中空で、長さがやや長い押し棒が貫設され、両端に、ネジ部が形成される調整棒と、調整棒のもう一端に組み立てられ、内壁に、雌ねじが設けられ、一端に、貫通穴が形成されるスリーブと、スリーブ内に設置されるバネと、外側面に凹槽があり、バネに貫設してスリーブ内に設置される押し圧ボタンと、押し圧ボタンを覆い、スリーブに螺着され、ねじ穴が設けられる内蓋と、が備えられる押し圧部品と、錠前座の外壁面に設けられ、一端に、内側にストッパーが設けられ、外側に、ネジ部が設けられる貫通穴が形成され、内壁の一側に、雌ねじが設けられる連接部材と、一端が、連接部材に挿入され、連接部材の貫通穴から突出し、抵当リングのもう一側からバネが貫設される係止ピンと、連接部材に螺着され、内部に収納室が設けられ、一端に、ネジ部が設置され、もう一端に、電磁部品が設けられる係止ピン座とが備えられる係止ピン部品と、が含有される、ことを特徴とする錠前構造である。
【考案を実施するための最良の形態】
【０００５】
図１を参照しながら、本考案は、
内部に、収納室１０が設けられ、一端に、該収納室１０を貫通する貫通孔１１があり、収納室１０と貫通孔１１の間に、ストッパー１２が形成され、収納室１０のもう一端に、雌ねじ１３が形成され、側壁面に、ねじ穴１４が、収納室１０に貫通し、外側に、ストップ板１５が設置され、ストップ板１５との間に、係止槽１６が設けられる錠前座１と、
錠前座１に組み立てられ、錠前座１の収納室１０に収納されるバネ２０が設けられ、バネ２０もう一端が、係止ブロック２１に抵当し、該係止ブロック２１に、一端から、錠前座１の貫通穴１１に対面するように、ピンロッド２１０が突出し、係止ブロック２１の中段に、係止槽２１１と抵当リング２１２が設置され、係止ブロック２１の外側面の中心に、凹槽２１３と、係止ブロック２１の外側に覆い、錠前座１に螺着され、中心に、貫通するねじ穴２２０が形成されるカバー２２とが形成され、カバー２２の一側に設けられるネジ部２２１と錠前座１の雌ねじ１３とが螺着される掛け金部品２と、
掛け金部品２に螺着され、延性が比較的に良い金属材からなり、内部が中空で、内部において、往復移動できる、比較的に長い長さを有し、可撓性を備える押し棒３０を有し、両端に、ネジ部３１が形成される調整棒３と、
調整棒３のもう一端に組み立てられ、内部に収納室４００が設けられるスリーブ４０があり、スリーブ４０の一端に、該収納室４００に貫通する貫通穴４０１が設けられ、収納室４００と貫通穴４０１の間に、ストッパー４０２が形成され、収納室４００のもう一端に、雌ねじ４０３と、スリーブ４０の収納室４００に収納され、一端が、ストッパー４０２に抵当するバネ４１と、バネ４１が嵌設され、スリーブ４０の収納室４００内に位置する押し圧ボタン４２と、が設けられ、該押し圧ボタン４２の一側に、バネ４１のもう一端が抵当する突出４２０が形成され、押し圧ボタン４２の突出４２０外側面において、中心に、凹槽４２１が設けられ、内蓋４３が、押し圧ボタン４２に覆い、スリーブ４０に螺着され、内蓋４３の中心に、貫通するねじ穴４３０が設けられ、内蓋４３の一側に、スリーブ４０の雌ねじ４０３と螺着するネジ部４３１が設けられる押し圧部品４と、
錠前座１の外壁面に設けられ、内部において、中空の一端に、貫通穴５００が設けられ、貫通穴５００の内側に、ストッパー５０１が設けられ、外側に、ネジ部５０２が設けられ、内壁の一側に、雌ねじ５０３がある連接部材５０と、一端が連接部材５０が挿入され、連接部材の貫通穴５００から突出し、上部に、抵当リング５１０が形成され、抵当リング５１０のもう一側に、バネ５１１が嵌設される係止ピン５１と、連接部材５０と螺着し、内部に、係止ピン５１を収納する収納室５２０が設けられ、一端に、連接部材５０の雌ねじ５０３と螺着するネジ部５２１が設けられ、ネジ部５２１の外端面に、バネ５１１のもう一端が抵当し、もう一端に電磁部品５２２が設けられる係止ピン座５２と、が備えられる係止ピン部品５と、
が含有される。
【０００６】
組み立てる時、図１〜図３のように、まず、押し圧部品４の押し圧ボタン４２をバネ４１に貫設して、スリーブ４０の収納室４００内に収納させ、そして、内蓋４３のネジ部４３１とスリーブ４０の雌ねじ４０３とを螺着し、また、掛け金部品２の係止フロック２１のピンロッド２１０をバネ２０に貫通して錠前座１の収納室１０内に組立て、そして、カバー２２のネジ部２２１と錠前座１の雌ねじ１３とを螺着し、その後、調整棒３のその押し棒３０の一端を掛け金部品２のカバー２２の中心にあるねじ穴２２０を通し、また、係止フロック２１の凹槽２１３に挿入し、さらに、調整棒３の一端のネジ部３１とカバー２２のねじ穴２２０とを螺着して接合し、この時、調整棒３のもう一端のその押し棒３０の一端が、押し圧部品４の内蓋４３の中心にあるねじ穴４３０に貫通して押し圧ボタン４２上の凹槽４２１に挿入し、また、調整棒３の一端のネジ部３１と内蓋４３のねじ穴４３０とを螺合し、最後に、係止ピン部品５の係止ピン５１の一端を、連接部材５０に挿入し、この時、係止ピン５１のもう一端が、係止ピン座５２の収納室５２０内に挿入しながら、係止ピン座５２のネジ部５２１と連接部材５０の雌ねじ５０３とを螺着して、連接部材５０のネジ部５０２と錠前座１のねじ穴１４とを螺合し、係止ピン５１の一端が、貫通穴５００を通して係止フロック２１の抵当リング２１２に抵当し、これにより、組立てが終了される。
【０００７】
本考案に係る錠前構造は、シフト座に組み立てられて使用され、調整棒３により、より良い延性が得られ、シフト座に組み立てられる時、シフト座の造型に合わせて、調整棒３の角度を調整でき、これにより、錠前構造とシフト座の組立ては、より良い一体的な美観感が得られ、本考案によれば、鎖錠操作の時、図３と４のように、押し圧ボタン４２を押し圧して、調整件３の押し棒３０を変位させて、錠前座１内の係止フロック２１が押されて右側へ移動しながらバネ２０を圧縮し、これにより、ピンロッド２１０が、錠前座１の貫通穴１１から突出して、シフト板ＡのＰ位置の係止穴Ａ１０に挿入し、係止フロック２１が移動すると同時に、抵当リング２１２が連動されて変位し、係止ピン５１が、バネ５１１による弾性回復により、付勢されて、係止フロック２１の係止槽２１１に係止し、これにより、シフト板ＡがＰ位置の係止穴Ａ１０の係止フロック２１に挿入されたピンロッド２１０が位置づけられ、シフトレバーを操作することができなくなり、これにより、鎖錠の動作が終了され、解錠する時、リモコンで制御することにより、係止ピン部品５の電磁部品５２２が磁気吸収力を発生し、係止ピン５１が上へ吸引されて、係止ピン５１の下端が、係止フロック２１の係止槽２１１から脱離し、この時、係止フロック２１により圧縮されたバネ２０が弾性回復して、係止フロック２１が、左側へ変位して、押し棒３１により、押し圧ボタン４２が復帰し、そして、ピンロッド２１０が、シフト板ＡのＰ位置の係止穴Ａ１０に係止しないため、シフトを操作でき、これにより、解錠の動作が行われ、本考案に係る錠前構造は、シフト座の内部に隠れられるため、車泥棒によりシフトレバー錠前が破壊されることを防止でき、より良い盗難防止効果が得られる。
【０００８】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【０００９】
【図１】本考案の立体分解図
【図２】本考案の立体組立て図
【図３】本考案の組立て断面図
【図４】本考案の操作状態参考図
【符号の説明】
【００１０】
１      錠前座
１０    収納室
１１    貫通穴
１２    ストッパー
１３    雌ねじ
１４    ねじ穴
１５    ストップ板
１６    係止槽
２      掛け金部品
２０    バネ
２１    係止フロック
２１０  ピンロッド
２１１  係止槽
２１２  抵当リング
２１３  凹槽
２２    カバー
２２０  ねじ穴
２２１  ネジ部
３      調整棒
３０    押し棒
３１    ネジ部
４      押し圧部品
４０    スリーブ
４００  収納室
４０１  貫通穴
４０２  ストッパー
４０３  雌ねじ
４１    バネ
４２    押し圧ボタン
４２０  突出
４２１  凹槽
４３    内蓋
４３０  ねじ穴
４３１  ネジ部
５      係止ピン部品
５０    連接部材
５００  貫通穴
５０１  ストッパー
５０２  ネジ部
５０３  雌ねじ
５１    係止ピン
５１０  抵当リング
５１１  バネ
５２    係止ピン座
５２０  収納室
５２１  ネジ部
５２２  電磁部品
Ａ      シフト板
Ａ１０  係止穴
【図１】
0003143505.tif 000003
【図２】
0003143505.tif 000004
【図３】
0003143505.tif 000005
【図４】
0003143505.tif 000006